(57)【要約】【課題】  脱毛を防止でき、通風性に優れて長時間着用しても臭気の発生を防止できるのみならず、頭に堅固に固定できるかつらを提供する。【解決手段】  本発明は、毛髪（１１２）が植毛される網体（１１０）と；前記網体（１１０）の縁に沿って配設され前記網体（１１０）の形状を保つストリップ（１２０）と；殆んど使用者の右側耳の上部から左側耳の上部の毛髪と結合し、使用者の頭に位置固定するように前記ストリップ（１２０）の後ろ側内周面に縫製により固設された面ファスナー（１３０）と；使用者の前頭部（禿げ部分）に位置固定するように前記ストリップ（１２０）の前方内周面（禿げ部分に対応する位置）に互いに一定間隔をおいて縫製により固設された長さが短い一対の面ファスナー（１３２）と；から構成されていることを特徴とする。【選択図】図４
2006291436.tif 000002
【特許請求の範囲】
【請求項１】
毛髪（１１２）が植毛される網体（１１０）と；
前記網体（１１０）の縁に沿って配設され前記網体（１１０）の形状を保つストリップ（１２０）と；
殆んど使用者の右側耳の上部から左側耳の上部の毛髪と結合し、使用者の頭に位置固定するように前記ストリップ（１２０）の後ろ側内周面に縫製により固設された面ファスナー（１３０）と；
使用者の前頭部（禿げ部分）に位置固定するように前記ストリップ（１２０）の前方内周面（禿げ部分に対応する位置）に一定間隔で縫製により固設された長さが短い一対の面ファスナー（１３２）と；
から構成されていることを特徴とするかつら。
【請求項２】
前記ストリップ（１２０）にはその内周面に沿って特定間隔をおいて長さが短い多数個の面ファスナー（１４０）が付着されていることを特徴とする請求項１に記載のかつら。
【発明の詳細な説明】
【技術分野】
【０００１】
本発明はかつらに係り、特に脱毛を防止でき、通風性に優れて長時間着用しても悪臭（汗臭い）の発生を防止できるのみならず、頭に堅固に固定できるかつらに関する。
【背景技術】
【０００２】
従来から幅広く使われているかつらとしては、韓国実用新案登録第１９５９５５号（登録日  ；  ２０００年７月４日）に開示されたものがある。
韓国実用新案登録第１９５９５５号に開示されているかつら１０は、図１ないし図３に示したように、かつら１０の前方側（図１の下側）には額に固定するための合成樹脂バンド３０が形成され、かつら１０の周面には頭の側面部に固定するためストリップ２０による縁部が形成される。
【０００３】
かつら１０のストリップ２０には一定間隔で細長い長方形の毛髪引出孔２１、２２が多数個形成されており、毛髪引出孔２１、２２間には毛髪圧着面２３が形成されている。
そして、毛髪引出孔２１、２２及び毛髪圧着面２３が形成されたストリップ２０の内側面には毛髪引出孔２１、２２から引き出されて毛髪圧着面２３上の毛髪を弾性力で圧着して固定できるように固定クリップ４０が設けられている。
固定クリップ４０は金属板材よりなり、毛髪引出孔２１、２２に対応するように弾性片４４を挟んで一対の長孔４７、４８が平行に形成されている。
【０００４】
長孔４８の上部には上部支持片４１が形成され、長孔４７の下部は下部支持片４２が形成され、上下部支持片４１、４２の間には毛髪引出孔２１，  ２２に対応する間隔で弾性片４４が形成され、上下部支持片４１、４２及び弾性片４４は連結部４５により一体形成されている。  
上下部支持片４１、４２にはプレス作業によってひだ折り部４３が形成され、弾性片４４の長さは上下部支持片４１、４２より長く形成されて弾性片４４に弾性力をもたせるようになっている。
そして、かつら１０のストリップ２０に固定クリップ４０が固定できるように固定クリップ４０の連結部４５には上下一対の縫製孔４６がそれぞれ形成されている。
【０００５】
前記構成を有する従来のかつら１０は、図２に示すように、固定クリップ４０の弾性片４４を頭部側に向けて曲げてストリップ２０の毛髪圧着面２３と間隔をもたせるように形成した後、矢印のように上部側毛髪引出孔２１から引き出された毛髪は前記ストリップ２０の毛髪圧着面２３を過ぎて再び下部側毛髪引出孔２２に引き込ませ、下部側毛髪引出孔２２から引き出された毛髪はストリップ２０の毛髪圧着面２３を過ぎて再び上部側毛髪引出孔２１に引き込ませた後、固定クリップ４０の弾性片４４を図２に示したように元の状態に復帰させれば、固定クリップ４０の弾性片４４の弾性力によりストリップ２０の毛髪圧着面２３上に置かれた毛髪を圧着して固定できる。
【０００６】
一方、かつら１０を頭から取り外すには、図２に示した状態から図３に示した状態に固定クリップ４０の弾性片４４をストリップ２０の毛髪圧着面２３と間隔ができるように曲げて圧着力を解除すれば良い。
かつら１０を頭にさらに密着させたい場合は毛髪引出孔２１、２２を通じて上下に引き出された毛髪をタイトに引っ張った後、固定クリップ４０の弾性片４４を図２に示した状態に復帰させれば良い。
【０００７】
しかし、従来のかつら１０では、頭にかつらを着用する時には固定クリップ４０を毛髪にクランプし、かつら１０を頭から取り外す時には固定クリップ４０に毛髪がクランプされた状態を解除した後かつら１０を頭から外していた。従って、かつら１０の頻繁な脱着により毛髪が抜けるという問題点があるだけでなく、着用時に雨に濡れた場合、固定クリップ４０が雨水により毛髪から滑り毛髪が抜けるなどの問題点があった。
【０００８】
また、従来のかつら１０は通風性が劣るので、長時間着用する場合には、汗の発生により匂いがするという問題点があり、またストリップ２０に一定間隔で多数個の固定クリップ４０を縫製により固定する方式であるため、構造が複雑で製造コストの節減が困難な問題点があった。
さらに、かつら１０は多数個の固定クリップ４０により頭皮が損傷され、着用が不便であるという問題点の他、固定クリップ４０により毛髪の根元までクランプすることができず、頭にかつら１０を堅固に固定できないと言う問題点もあった。
【特許文献１】韓国実用新案登録第１９５９５５号
【特許文献２】特開２００４−１８３１２０号公報
【発明の開示】
【発明が解決しようとする課題】
【０００９】
本発明は上記問題点を解決するために案出されたもので、本発明の目的は毛髪の抜けが防止でき、通風性に優れ長時間着用しても臭気（汗臭い）が発生せず、頭皮先までベルクロテープ（登録商標）などの面ファスナーのピンが毛髪と結合できて頭に堅固に固定でき、脱着が容易で、構造が簡単で、製造コストを節減できるかつらを提供することにある。
【課題を解決するための手段】
【００１０】
本発明は、毛髪（１１２）が植毛される網体（１１０）と；前記網体（１１０）の縁に沿って配設され前記網体（１１０）の形状を保つストリップ（１２０）と；殆んど使用者の右側耳の上部から左側耳の上部の毛髪と結合し、使用者の頭に位置固定するように前記ストリップ（１２０）の後ろ側内周面に縫製により固設された面ファスナー（１３０）と；使用者の前頭部（禿げ部分）に位置固定するように前記ストリップ（１２０）の前方内周面（禿げ部分に対応する位置）に互いに一定間隔をおいて縫製により固設された長さが短い一対の面ファスナー（１３２）と；から構成されていることを特徴とする。
ここで、面ファスナーとはベルクロテープ（登録商標）などを言う。
【発明の効果】
【００１１】
本発明のかつらによれば、脱毛を防止することができ、通風性に優れ、頭皮先まで面ファスナーのピンが毛髪と結合され頭に堅固に固定できると同時に、長時間着用しても臭気（汗臭い）が発生せず、脱着しやすくて構造が簡単であることのみならず、製造コストを節減できるという極めて優れた効果がある。
【発明を実施するための最良の形態】
【００１２】
以下、本発明の一実施形態によるかつらについて添付した図面に基づき詳述する。
【実施例】
【００１３】
図４は本発明の一実施形態によるかつらを底面から見た図である。
図４に示すように、本発明の一実施形態によるかつら１００は毛髪１１２が植毛される網体１１０と、網体１１０の縁に沿って配設され網体１１０の形状を保つストリップ１２０と、殆んど使用者の右側耳の上部から左側耳の上部の毛髪と結合され使用者の頭に固定するようにストリップ１２０の後ろ側内周面に縫製により固設された面ファスナー１３０と、使用者の前頭部（禿げ）に固定するようにストリップ１２０の前方内周面（禿げ部分に対応する位置）に一定間で縫製により固設された長さが短い一対の面ファスナー１３２で構成されている。
【００１４】
面ファスナー１３２は縫製によりストリップ１２０の前方内周面に固設してもよく、面ファスナー１３２の代りに粘着テープ（図示せず）を固設して前頭部の禿げ部分に貼り付けても良い。
【００１５】
次いで、本発明の一実施形態によるかつらの作用及び効果について説明する。
かつら１００の内周面に沿って網体１１０を頭形状に保つように網体１１０の縁にストリップ１２０が形成され、ストリップ１２０の内周面、すなわち使用者の右側耳の上部から左側耳の上部までの毛髪がある部分に対応するストリップ１２０の内周面に面ファスナー１３０が設けられている。また使用者の前頭部（禿げ部分）に対応するストリップ１２０の内周面には、長さが短い一対の面ファスナー１３２が縫製により固設されている。使用者が本発明のかつら１００を頭につけると、使用者の両側の毛髪及び後ろ側の毛髪に面ファスナー１３０が結合されると同時に、使用者の前頭部の毛髪と長さが短い一対の面ファスナー１３２のピンが毛髪とＳ字形またはＬ字形に結合される。同時に、面ファスナー１３０のピン及び面ファスナー１３２のピンが頭皮まで入り込んで毛髪と結合され使用者の頭にかつら１００が堅固に固定される。
【００１６】
一方、使用者が本発明のかつら１００を外すには、使用者の前頭部の毛髪と結合している面ファスナー１３２を前頭部から離してかつら１００を後ろ側に外すと、使用者の両側の毛髪及び後ろ側の毛髪に結合され固定されていた面ファスナー１３０が容易に外れてかつら１００を取り外すことができる。
【００１７】
次いで、本発明の第２実施形態のかつらについて図５を参照して説明する。
図５に示した本発明の第２実施形態のかつら１００は、頭の上部で円形に毛髪が抜けた人が容易に使用できるようにしたものである。網体１１０の縁に沿って配設されストリップ１２０の内周面に、特定間隔をおいて長さが短い多数個の面ファスナー１４０が付着されている。これによって、本発明のかつらは毛髪の抜けを防止することができ、通風性に優れ、頭皮先まで面ファスナーのピンが毛髪と結合して頭に堅固に固定できると同時に、長時間着用しても臭気（汗臭い）が発生せず、着脱が容易であり構造が簡単であるのみならず、製造コストを節減することができる。
【００１８】
以上で、本発明に関する好ましい実施例を説明したが、本発明は前記実施例に限定されず、本発明の属する技術範囲を逸脱しない範囲での全ての変更が含まれる。
【産業上の利用可能性】
【００１９】
本発明は毛髪の抜けを防止でき、通風性に優れ長時間着用しても臭気の発生を防止できるのみならず、頭に堅固に固定できるかつらに適用される。
【図面の簡単な説明】
【００２０】
【図１】従来のかつらの底面を概略的に示した底面図である。
【図２】図１においてストリップから固定クリップを分離した一部分解斜視図である。
【図３】図１においてストリップに固定クリップを縫製により固設した後、頭にかつらを着用する状態を説明する部分斜視図である。
【図４】本発明の一実施形態によるかつらを底面から見た底面図である。
【図５】本発明の第２実施形態によるかつらを底面から見た底面図である。
【符号の説明】
【００２１】
１０、１００  かつら
２１，２２  毛髪引出孔
２３  毛髪圧着面
４０  固定クリップ
４１  上部支持片
４２  下部支持片
４４  弾性片
４７，４８  長孔
１１０  網体
１１２  毛髪
１２０  ストリップ
１３０、１３２、１４０  面ファスナー
【図１】
2006291436.tif 000003
【図２】
2006291436.tif 000004
【図３】
2006291436.tif 000005
【図４】
2006291436.tif 000006
【図５】
2006291436.tif 000007